(57)【要約】      （修正有）【課題】勾配を必要とする排水管の施工を含む設備工事の工数および施工コストの削減を図る。【解決手段】天吊り空調機用の排水管を含む横引き配管を建物に施工するための空調配管施工設備であって、前記建物の外部において前記横引き配管を予め加工および組み立ててユニット化された配管ユニット１１と、前記建物に運搬されて吊り込まれた配管ユニット１１を所定間隔で支持する耐震架台１３と、を備え、耐震架台１３は、排水管を所定範囲内の所望な勾配に調整可能且つ維持可能な勾配設定機構４５を備えていることを特徴とする。【選択図】図８
2019219111.tif 000002
【特許請求の範囲】
【請求項１】
天吊り空調機用の排水管を含む横引き配管を建物に施工するための空調配管施工設備であって、
前記建物の外部において前記横引き配管を予め加工および組み立ててユニット化された配管ユニットと、
前記建物に運搬されて吊り込まれた前記配管ユニットを所定間隔で支持する耐震架台と、
を備え、前記耐震架台は、前記排水管を所定範囲内の所望な勾配に調整可能且つ維持可能な勾配設定機構を備えていることを特徴とする空調配管施工設備。
【請求項２】
前記勾配設定機構は、前記排水管を下方から支持する配管支持部と、前記配管支持部が前記排水管の布設方向に揺動可能且つ上下方向に移動可能なように該配管支持部を支持する勾配調整部と、を備えている請求項１に記載の空調配管施工設備。
【請求項３】
前記配管支持部は、前記排水管の布設方向に直交する方向に設けられ、前記排水管を面で支持可能なように下方が開放された姿勢で設けられる溝形鋼により構成され、
前記勾配調整部は、前記排水管の布設方向における前記配管支持部の中央部を下方から点で支持するボルトと、該ボルトを支持部材に固定するナットと、により構成されている請求項２に記載の空調配管施工設備。
【請求項４】
前記配管ユニットは、前記横引き配管と、該横引き配管を支持するためのラックと、を備え、
前記配管ユニットを複数段積み重ねて結合可能且つ各段に分離可能な枠組み部材を備えている請求項１〜３のいずれかの請求項に記載の空調配管施工設備。
【請求項５】
前記横引き配管は、前記空調機用の複数の冷媒配管および加湿器用の給水管をさらに含み、前記空調機の冷媒切替弁集合ユニットと前記加湿器の有無によって複数のタイプの前記配管ユニットを備えている請求項１〜４のいずれかの請求項に記載の空調配管施工設備。
【請求項６】
天吊り空調機用の横引き配管を建物に施工するための空調配管施工方法であって、
前記建物の外部において前記横引き配管を予め加工および組み立ててユニット化された配管ユニットを枠組み部材により複数段積み重ねて結合した状態で前記建物の所定場所に運搬する運搬工程と、
前記複数段積み重ねて結合された前記配管ユニットを各段に分離して前記所定場所に吊り込み、耐震架台で支持する吊り込み工程と、
吊り込まれた前記配管ユニットと前記空調機とを配管で接続する工程と、
隣接する前記配管ユニット同士を接続する配管接続工程と、
を備えていることを特徴とする空調配管施工方法。
【請求項７】
前記吊り込み工程は、
前記配管ユニットを所定高さより少し高めに仮吊りする工程と、
前記耐震架台を取り付けた後に、前記配管ユニットを所定高さまで下降させて該耐震架台に取り付ける工程と、
前記耐震架台の勾配設定機構により前記横引き配管を所望な勾配に調整する工程と、
を備えている請求項６に記載の空調配管施工方法。
【発明の詳細な説明】
【技術分野】
【０００１】
本発明は、天吊り空調機用の横引き配管を建物に施工するための空調配管施工設備および空調配管施工方法に関する。
【背景技術】
【０００２】
事務所ビルや店舗などの建物には、室内の空調設備として、空冷ヒートポンプパッケージ等の天吊り型の空調機が取り付けられことがある。この種の空調機には、冷媒配管や加湿用給水管、および空調機や加湿器の排水管などの配管を施工する必要があるが、この配管の施工には一定の手間が掛かっている。
【０００３】
従来、この種の空調機廻りの配管の施工性を高めることなどを目的として、各種施工技術が提案されている。例えば、特許文献１では、天吊り空調機と機器接続配管を穴空きフレーム内に一体で納めた空調ユニットを工場で組立て、専用パレットで所定の場所に運搬して設置した後に配管を接続する施工方法が提案されている。
【０００４】
また、特許文献２では、パッケージエアコンの室外機とダクト内に納めた機器接続配管及び防振架台を一体で納めた室外機ユニットを工場で組立て、所定の場所に運搬して設置した後に配管を接続する工法が提案されている。
【０００５】
また、特許文献３では、複数の冷媒配管をラックカバー内に設置して冷媒配管ユニットを工場で組立て、所定の場所に運搬してシャフト内に設置した後にユニオンソケットを用いてロウ付け溶接で上下配管を接続する工法が提案されている。
【０００６】
また、特許文献４では、複数の冷媒配管を架台に設置して冷媒配管ユニットを工場で組立て、所定の場所に運搬してシャフト内に設置した後にソケットを用いてロウ付け溶接で上下配管を接続する施工方法が提案されている。
【先行技術文献】
【特許文献】
【０００７】
【特許文献１】特開２０１０−２４９４０１号公報
【特許文献２】特開２００１−１４１２６３号公報
【特許文献３】特開２０１１−１４５０４９号公報
【特許文献４】特開２０１３−１３９８２８号公報
【発明の概要】
【発明が解決しようとする課題】
【０００８】
しかしながら、特許文献１に記載の施工方法では、天吊り型の空調機の接続配管を個々に施工する必要があるため、工数および施工コストの削減を図ることができないという問題がある。
【０００９】
また、特許文献２に記載の工法では、ダクト内の冷媒配管は個々に設置し、他のユニットとの接続は従来の工法でしか施工できないため、工数および施工コストの削減を図ることができないといった問題や、この工法は室内配管に適用できないといった問題がある。
【００１０】
また、特許文献３に記載の工法では、ラックカバー内の配管は勾配を必要としない配管に限られ、横引き排水管には適用できないという問題がある。
【００１１】
また、特許文献４に記載の施工方法では、ユニット内の配管は勾配を必要としない配管に限られ、横引き排水管には適用できないという問題がある。
【００１２】
本発明は、上記した課題を解決すべくなされたものであり、工数および施工コストの削減を図ることができ、勾配を必要とする排水管に適用可能な空調配管施工設備および空調配管施工方法を提供することを目的とするものである。
【課題を解決するための手段】
【００１３】
上記した目的を達成するため、本発明は、天吊り空調機用の排水管を含む横引き配管を建物に施工するための空調配管施工設備であって、前記建物の外部において前記横引き配管を予め加工および組み立ててユニット化された配管ユニットと、前記建物に運搬されて吊り込まれた前記配管ユニットを所定間隔で支持する耐震架台と、を備え、前記耐震架台は、前記排水管を所定範囲内の所望な勾配に調整可能且つ維持可能な勾配設定機構を備えていることを特徴とする。
【００１４】
本発明に係る空調配管施工設備において、前記勾配設定機構は、前記排水管を下方から支持する配管支持部と、前記配管支持部が前記排水管の布設方向に揺動可能且つ上下方向に移動可能なように該配管支持部を支持する勾配調整部と、を備えていても良い。
【００１５】
本発明に係る空調配管施工設備において、前記配管支持部は、前記排水管の布設方向に直交する方向に設けられ、前記排水管を面で支持可能なように下方が開放された姿勢で設けられる溝形鋼により構成され、前記勾配調整部は、前記排水管の布設方向における前記配管支持部の中央部を下方から点で支持するボルトと、該ボルトを支持部材に固定するナットと、により構成されていても良い。
【００１６】
本発明に係る空調配管施工設備において、前記配管ユニットは、前記横引き配管と、該横引き配管を支持するためのラックと、を備え、前記配管ユニットを複数段積み重ねて結合可能且つ各段に分離可能な枠組み部材を備えていても良い。
【００１７】
本発明に係る空調配管施工設備において、前記横引き配管は、前記空調機用の複数の冷媒配管および加湿器用の給水管をさらに含み、前記空調機の冷媒切替弁集合ユニットと前記加湿器の有無によって複数のタイプの前記配管ユニットを備えていても良い。
【００１８】
本発明は、天吊り空調機用の横引き配管を建物に施工するための空調配管施工方法であって、前記建物の外部において前記横引き配管を予め加工および組み立ててユニット化された配管ユニットを枠組み部材により複数段積み重ねて結合した状態で前記建物の所定場所に運搬する運搬工程と、前記複数段積み重ねて結合された前記配管ユニットを各段に分離して前記所定場所に吊り込み、耐震架台で支持する吊り込み工程と、吊り込まれた前記配管ユニットと前記空調機とを配管で接続する工程と、隣接する前記配管ユニット同士を接続する配管接続工程と、を備えていることを特徴とする。
【００１９】
本発明に係る空調配管施工方法において、前記吊り込み工程は、前記配管ユニットを所定高さより少し高めに仮吊りする工程と、前記耐震架台を取り付けた後に、前記配管ユニットを所定高さまで下降させて該耐震架台に取り付ける工程と、前記耐震架台の勾配設定機構により前記横引き配管を所望な勾配に調整する工程と、を備えていても良い。
【発明の効果】
【００２０】
本発明によれば、勾配を必要とする排水管の施工を含む設備工事の工数および施工コストの削減を図ることができる等、種々の優れた効果を得ることができる。
【図面の簡単な説明】
【００２１】
【図１】本発明の実施の形態に係る空調配管施工設備を示す平面図である。
【図２】本発明の実施の形態に係る空調配管施工設備を示す正面図である。
【図３Ａ】本発明の実施の形態に係る空調配管施工設備において第１のタイプの配管ユニットを示す模式図である。
【図３Ｂ】本発明の実施の形態に係る空調配管施工設備において第２のタイプの配管ユニットを示す模式図である。
【図３Ｃ】本発明の実施の形態に係る空調配管施工設備において第３のタイプの配管ユニットを示す模式図である。
【図３Ｄ】本発明の実施の形態に係る空調配管施工設備において第４のタイプの配管ユニットを示す模式図である。
【図４】本発明の実施の形態に係る空調配管施工設備において配管ユニットを３段に積み重ねた状態を示す正面図である。
【図５】本発明の実施の形態に係る空調配管施工設備の耐震架台を示す平面図である。
【図６】本発明の実施の形態に係る空調配管施工設備の耐震架台を示す側面図である。
【図７】本発明の実施の形態に係る空調配管施工設備の耐震架台を示す正面図である。
【図８】本発明の実施の形態に係る空調配管施工設備の勾配調整機構を示す側面図である。
【図９】本発明の実施の形態に係る空調配管施工設備の勾配調整機構を示す側面図である。
【図１０】本発明の実施の形態に係る空調配管施工設備において配管ユニットを吊り込んだ状態を示す側面図である。
【発明を実施するための形態】
【００２２】
以下、図面を参照しつつ、本発明の実施の形態に係る空調配管施工設備１０について説明する。図１は空調配管施工設備１０を示す平面図、図２は空調配管施工設備１０を示す正面図、図３Ａ〜図３Ｄは第１〜第４のタイプの配管ユニットを示す模式図、図４は配管ユニットを３段に積み重ねた状態を示す正面図、図５は耐震架台を示す平面図、図６は耐震架台を示す側面図、図７は耐震架台を示す正面図、図８は勾配調整機構を示す側面図、図９は勾配調整機構を示す側面図、図１０は配管ユニットを吊り込んだ状態を示す側面図である。なお、以下の本発明の実施の形態の説明では、天吊り空調機用の横引き配管を建物の所定の場所に施工するために本発明を使用した場合について例示して説明する。
【００２３】
本発明の実施の形態に係る空調配管施工設備１０は、配管ユニット１１と、配管ユニット１１を囲うように設けられる枠組み部材１２と、配管ユニット１１を所定間隔（６ｍ以内）で支持する耐震架台１３と、を備えて構成されている。
【００２４】
配管ユニット１１は、天吊り型空冷ヒートポンプパッケージ空調機の室内機１４用の冷媒配管１５と、天吊り型加湿器１６用の給水管１７と、室内機１４および加湿器１６用の排水管１８と、を含む横引き配管を、建物の外部（工場）において予め加工および組み立ててラック１９に支持させることでユニット化したものである。
【００２５】
冷媒配管１５は、銅管により形成され、液管１５ａ、吸入管１５ｂ、高圧管１５ｃの３本の配管を備えている。給水管１７は、１本の架橋ポリエチレン管により形成され、排水管１８は、１本の結露防止層付き塩化ビニル管により形成されている。冷媒配管１５および給水管１７は保温材で被覆されている。
【００２６】
図３Ａ〜図３Ｄに示されているように、配管ユニット１１は、例えば第１〜第４の４つのタイプの配管ユニット１１Ａ，１１Ｂ，１１Ｃ，１１Ｄを備えており、室内の熱負荷に対応させて、それぞれのタイプの配管ユニット１１Ａ，１１Ｂ，１１Ｃ，１１Ｄを組み合わせて設置される。配管ユニット１１の大きさは、トラックによる運搬や搬入用エレベータによる運搬および各階における平面運搬時の作業性を考慮して、全長が３，０００ｍｍ、全幅が８６６ｍｍ、全高が５７０ｍｍに設定されており、その重量は、８０ｋｇ以下に設定されている。
【００２７】
図３Ａに示されているように、第１のタイプの配管ユニット１１Ａは、３本の冷媒配管１５（液管１５ａ、吸入管１５ｂ、高圧管１５ｃ）と、１本の給水管１７と、１本の排水管１８と、複数（図３Ａでは３台）の室内機１４の冷房・暖房の運転状態に応じて冷媒配管を切り替えるための冷媒切替弁集合ユニット２０と、冷媒切替弁集合ユニット２０と３本の冷媒配管１５（液管１５ａ、吸入管１５ｂ、高圧管１５ｃ）とを接続する分岐配管２１ａ，２１ｂ，２１ｃと、により構成されている。図２に良く示されているように、給水管１７には、その分岐管２２の先端に仕切弁２３が取り付けられている。また、排水管１８には、２箇所にチーズ継手２４，２５が取り付けられており、一方のチーズ継手２４には室内機１４のドレン管２６が接続可能となっており、他方のチーズ継手２５には加湿器１６のドレン管２７が接続可能となっている。
【００２８】
図３Ｂに示されているように、第２のタイプの配管ユニット１１Ｂは、３本の冷媒配管１５（液管１５ａ、吸入管１５ｂ、高圧管１５ｃ）と、１本の給水管１７と、１本の排水管１８と、複数（図３Ａでは３台）の室内機１４の冷房・暖房の運転状態に応じて冷媒配管を切り替えるための冷媒切替弁集合ユニット２０と、冷媒切替弁集合ユニット２０と３本の冷媒配管１５（液管１５ａ、吸入管１５ｂ、高圧管１５ｃ）とを接続する分岐配管２１ａ，２１ｂ，２１ｃと、により構成されている。第２のタイプの配管ユニット１１Ｂの給水管１７には、分岐管２２や仕切弁２３は取り付けられていない。また、排水管１８には、室内機１４のドレン管２６用のチーズ継手２４が取り付けられているが、加湿器１６のドレン管２７用のチーズ継手２５は取り付けられていない。
【００２９】
図３Ｃに示されているように、第３のタイプの配管ユニット１１Ｃは、３本の冷媒配管１５（液管１５ａ、吸入管１５ｂ、高圧管１５ｃ）と、１本の給水管１７と、１本の排水管１８と、により構成されている。第３のタイプの配管ユニット１１Ｃには、給水管１７に分岐管２２や仕切弁２３が取り付けられている。また、排水管１８には、加湿器１６のドレン管２７用のチーズ継手２５が取り付けられているが、室内機１４のドレン管２６用のチーズ継手２４は取り付けられていない。
【００３０】
図３Ｄに示されているように、第４のタイプの配管ユニット１１Ｄは、３本の冷媒配管１５（液管１５ａ、吸入管１５ｂ、高圧管１５ｃ）と、１本の給水管１７と、１本の排水管１８と、により構成されている。第４のタイプの配管ユニット１１Ｄには、給水管１７の分岐管２２および仕切弁２３や、排水管１８のチーズ継手２４，２５が取り付けられていない。
【００３１】
図１および図２に示されているように、ラック１９は、例えば板厚が２ｍｍの亜鉛メッキ鋼板製である。ラック１９は、３，０００ｍｍの全長と７００ｍｍの幅と１００ｍｍの高さを有しており、長手方向に平行に配置される２本の親桁２８と、３００ｍｍピッチで親桁２８に直交する方向に連結される１０本の子桁２９と、を備えている。
【００３２】
図１、図２、および図４に示されているように、枠組み部材１２は、亜鉛メッキ鋼板製であり、穴あきアングル３１を穴あき用アングル金具３２で接続することにより枠状に構成されている。枠組み部材１２は、配管ユニット１１を複数段積み重ねて結合可能且つ各段に分離可能に構成されている。
【００３３】
図４には、配管ユニット１１を支持する枠組み部材１２が３段積み重ねて結合されている例が示されており、最下段に第３のタイプの配管ユニット１１Ｃの枠組み部材１２が示され、２段目と最上段に第１のタイプの配管ユニット１１Ａの枠組み部材１２が示されている。図４のように３段積み重ねた場合の全高は１，５９１ｍｍで、その総重量は、２３１．８ｋｇとなっている。トラックによる運搬や搬入用エレベータによる運搬および各階における平面運搬時の作業性を考慮して、枠組み部材１２は、総重量が２４０ｋｇ以下となるように配管ユニット１１を２台または３台積み上げてボルトナットで締結されるのが好ましい。
【００３４】
また、各段の枠組み部材１２の長さと幅は同一寸法を有している（例えば、長さが２，５２０ｍｍで幅が８７５ｍｍ）が、その高さは、支持する配管ユニット１１のタイプに応じて、異なった寸法となっている。なお、図１および図２には、第１のタイプの配管ユニット１１Ａの枠組み部材１２が示されている。
【００３５】
枠組み部材１２は、ラック１９の長手方向の複数箇所（図１では４箇所）においてラック１９に直交する方向に配置されてラック１９を下方から支持する４本の下方支持部材３６と、下方支持部材３６の両端部に立設されてラック１９の外側に平行に設けられる８本の鉛直部材３５と、ラック１９に直交する方向において各鉛直部材３５の上端部同士を連結する４本の直交連結部材３７と、ラック１９の長手方向に沿って各鉛直部材３５の上端部同士を連結する２本の平行連結部材３４と、を備えている。
【００３６】
図２および図４に良く示されているように、枠組み部材１２には、各鉛直部材３５の上端に段積み用の金具３８が取り付けられている。枠組み部材１２は、この金具３８およびボルトナット（図示せず）を介して複数段（図２では３段）積み重ねて結合可能且つ各段に分離可能となっている。
【００３７】
図５〜図９に示されているように、耐震架台１３は、溝形鋼（１００×５０×６ｔ）により構成されており、平面視で矩形状に形成される水平部材４１と、水平部材４１の四隅に立設される４本の鉛直部材４２と、を備えている。水平部材４１は、平面視においてラック１９の２本の親桁２８の外側に沿うように平行に配置される２本の外側部４３と、各外側部４３に直交する方向において各外側部４３の両端部を連結してラック１９を下方から支持する２本の連結部４４（支持部材）と、により構成されている。
【００３８】
図８および図９に良く示されているように、各連結部４４は、上方が開放された向きで配置された溝型鋼により構成されており、連結部４４には、配管ユニット１１を所定範囲内の所望な勾配に調整可能且つ維持可能な勾配設定機構４５が設けられている。勾配設定機構４５は、配管ユニット１１を下方から支持する配管支持部４６と、配管支持部４６が配管ユニット１１の布設方向に揺動可能且つ上下方向に移動可能なように配管支持部４６を支持する勾配調整部４７と、を備えている。また、各連結部４４の両端部には、それぞれラック固定金具４８（図７参照）が取り付け可能となっており、このラック固定金具４８によりラック１９を連結部４４に固定可能となっている。
【００３９】
配管支持部４６は、連結部４４の溝形鋼より小サイズの溝形鋼により構成され、連結部４４の両端部を除く部分の内部に下方が開放された向きで嵌設されている。これにより、配管支持部４６は、配管ユニット１１を面で支持可能となっている。
【００４０】
勾配調整部４７は、配管ユニット１１の布設方向における配管支持部４６の中央部を下方から点で支持するボルト４９と、ボルト４９を連結部４４に固定するナット５０と、により構成されている。勾配調整部４７は、各連結部４７の両端部の近傍位置にそれぞれ設けられている（図７参照）。
【００４１】
耐震架台１３は、高さの異なる複数種類（例えば、５５５ｍｍ、６４５ｍｍ、６４５ｍｍの３種類）のものが用意されており、耐震架台１３の設置間隔に合わせて配管ユニット１１の勾配を所定範囲内（１／２００〜１／３０）で所望な勾配（例えば、１／１００）に自由に設定できるようになっている。
次に、図面を参照しつつ、本発明の実施の形態に係る空調配管施工方法について説明する。
【００４２】
まず、建物の外部の工場において、予め前記横引き配管をラック１９に支持させて、図３Ａ〜図３Ｄに示す４つのタイプのいずれかのタイプの配管ユニット１１Ａ〜１１Ｄを組み立てる。例えば図４に示されているように、それぞれユニットされた配管ユニット１１（図４では最下段が第３のタイプの配管ユニット１１Ｃ、２段目と最上段が第１のタイプの配管ユニット１１Ａ）を、枠組み部材１２により３段積み重ね、段積み用の金具３８にボルトナットを締結して結合状態とする。そして、このように３段積み重ねて結合された積層配管ユニットをフォークリフトでトラックに積載し、建物に運搬する。
【００４３】
建物では、仮設搬入用エレベータで設置階まで楊重し、所定の場所に水平運搬する。所定の場所では、段積み用の金具３８のボルトナットを取り外して３段に積み重ねられた前記積層配管ユニットを各段に分離させ、各段の枠組み部材に支持されている配管ユニット１１の吊り込み作業を行う。
【００４４】
図１０に示されているように、配管ユニット１１の吊り込み作業は、所定のタイプの配管ユニット１１（図１０では第１のタイプの配管ユニット１１Ａ）を段組み部材１２に支持させた状態で行う。具体的には、所定のタイプの配管ユニット１１の長手方向の両端部をそれぞれアッパーに載せ、該アッパーを上昇させる。そして、この配管ユニット１１の吊り込み作業前に予め天井スラブのインサートに取り付けておいた全ネジ棒６１の下端部分にナット６２を取り付け、所定高さより少し高めに配管ユニット１１を吊り込み、仮吊りする。
【００４５】
次いで、耐震架台１３を所定間隔（例えば６ｍ間隔）で所定の高さに固定する、その後、全ネジ棒６１に取り付けたナット６２を緩めて、配管ユニット１１を所定高さまで全体的に降下させる。この状態で、図８に示されているように、一方側（図８の左側）の勾配設定機構４５において、配管ユニット１１が所定高さＨ（図８参照）になるまでボルト４９をねじ込み、ナット５０で固定する。この時、配管ユニット１１は、連結部４４の両フランジ部の各上端４４ａ，４４ｂと配管支持部４６の上面４６ａとによって支持される。
【００４６】
また、勾配設定機構４５の他方側（図８の右側）において、配管ユニット１１が所定高さＨ１より僅かに高い高さＨ２になるまでボルト４９をねじ込み、ナット５０で固定する。この時、図９において二点鎖線で示されているように、配管支持部４６は配管ユニット１１の布設方向に沿って所定の勾配（例えば１／１００）に傾斜した状態で配管支持部４６の上面によって支持される。そして、前記緩めたナット６２を配管ユニット１１の重さが掛かる所まで締め上げ、ラック固定金具４８（図７参照）を耐震架台１３の連結部４４に取り付け、配管ユニット１１を固定する。このように、配管ユニット１１は長手方向の両端部において配管支持部４６によって面で支持され、集中荷重が掛からない構造となっているため、安定的に配管ユニット１１を支持することができる。
【００４７】
これにより、配管ユニット１１は所定の勾配に傾斜した姿勢で所定の場所に吊り込まれる。この時、一方側（図８の左側）の勾配設定機構４５における左側のフランジ部の上端４４ａと配管ユニット１１のラック１９との隙間と他方側（図８の右側）の勾配設定機構４５における右側のフランジ部の上端４４ｂと配管ユニット１１のラック１９との隙間との差を確認したり、或いは、一方側（図８の左側）の勾配設定機構４５におけるボルト４９と他方側（図８の右側）の勾配設定機構４５におけるボルト４９との余長差（図８中のＬ１−Ｌ２）を確認したりすることで、所定の勾配に正確に配管ユニット１１を吊り込むことができる。
【００４８】
その後、吊り込まれた配管ユニット１１と室内機１４および加湿器１６とを配管で接続する。以降、上記したのと同様の手順で次の配管ユニット１１の吊り込み作業を行う。
【００４９】
次いで、ラック１９は直線接続金具およびボルトナット３本で連結し、隣接する配管ユニット１１同士を接続する。この時、冷媒配管１５の接続は、差込式および締め込み式のメカニカル接手により行い、給水管１７の接続は、差込式のメカニカル接手により行い、排水管１８の接続は、接着剤を用いたソケット接合により行う。
【００５０】
上記した本発明の実施の形態に係る空調配管施工設備１０および空調配管施工方法によれば、設備工事の工数の減少により施工のコストも大幅に減少することができる。例えば、基準階面積が２，２００ｍ２の建物において空冷ヒートポンプパッケージ空調機の空調配管の施工を行う場合、従来工法では、１．５ヶ月の工期を要していたのに対して、本発明の実施の形態に係る空調配管施工設備１０および空調配管施工方法を適用した場合には、従来工法の１／３の０．５ヶ月の工期に短縮することが可能である。また、工数削減と共に、労働安全のリスクも１／３に削減することができる。
【００５１】
なお、上記した本発明の実施の形態の説明は、本発明に係る空調配管施工設備および空調配管施工方法における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００５２】
１０    空調配管施工設備
１１    配管ユニット
１２    枠組み部材
１３    耐震架台
１４    室内機
１５    冷媒配管
１６    加湿器
１７    給水管
１８    排水管
１９    ラック
２０    冷媒切替弁集合ユニット
４４    連結部（支持部材）
４５    勾配設定機構
４６    配管支持部
４７    勾配調整部
４９    ボルト
５０    ナット
【図１】
2019219111.tif 000003
【図２】
2019219111.tif 000004
【図３Ａ】
2019219111.tif 000005
【図３Ｂ】
2019219111.tif 000006
【図３Ｃ】
2019219111.tif 000007
【図３Ｄ】
2019219111.tif 000008
【図４】
2019219111.tif 000009
【図５】
2019219111.tif 000010
【図６】
2019219111.tif 000011
【図７】
2019219111.tif 000012
【図８】
2019219111.tif 000013
【図９】
2019219111.tif 000014
【図１０】
2019219111.tif 000015
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
天吊り空調機用の排水管を含む横引き配管を建物に施工するための空調配管施工設備であって、
前記横引き配管を予め加工および組み立ててユニット化された配管ユニットと、
前記建物に運搬されて吊り込まれた前記配管ユニットを所定間隔で支持する耐震架台と、
を備え、前記耐震架台は、前記排水管を所定範囲内の所望な勾配に調整可能且つ維持可能な勾配設定機構を備え、
前記配管ユニットは、前記横引き配管と、該横引き配管を支持するためのラックと、を備え、
前記配管ユニットを複数段積み重ねて結合可能且つ各段に分離可能な枠組み部材を備えていることを特徴とする空調配管施工設備。
【請求項２】
前記勾配設定機構は、前記排水管を下方から支持する配管支持部と、前記配管支持部が前記排水管の布設方向に揺動可能且つ上下方向に移動可能なように該配管支持部を支持する勾配調整部と、を備えている請求項１に記載の空調配管施工設備。
【請求項３】
前記配管支持部は、前記排水管の布設方向に直交する方向に設けられ、前記配管ユニットを面で支持可能なように下方が開放された姿勢で設けられる溝形鋼により構成され、
前記勾配調整部は、前記排水管の布設方向における前記配管支持部の中央部を下方から点で支持するボルトと、該ボルトを支持部材に固定するナットと、により構成されている請求項２に記載の空調配管施工設備。
【請求項４】
前記横引き配管は、前記空調機用の複数の冷媒配管および加湿器用の給水管をさらに含み、前記空調機の冷媒切替弁集合ユニットと前記加湿器の有無によって複数のタイプの前記配管ユニットを備えている請求項１〜３のいずれかの請求項に記載の空調配管施工設備。
【請求項５】
天吊り空調機用の横引き配管を建物に施工するための空調配管施工方法であって、
前記建物の外部において前記横引き配管を予め加工および組み立ててユニット化された配管ユニットを枠組み部材により複数段積み重ねて結合した状態で前記建物の所定場所に運搬する運搬工程と、
前記複数段積み重ねて結合された前記配管ユニットを各段に分離して前記所定場所に吊り込み、耐震架台で支持する吊り込み工程と、
吊り込まれた前記配管ユニットと前記空調機とを配管で接続する工程と、
隣接する前記配管ユニット同士を接続する配管接続工程と、
を備え、
前記吊り込み工程は、
前記配管ユニットを所定高さより少し高めに仮吊りする工程と、
前記耐震架台を取り付けた後に、前記配管ユニットを所定高さまで下降させて該耐震架台に取り付ける工程と、
前記耐震架台の勾配設定機構により前記横引き配管を所望な勾配に調整する工程と、
を備えていることを特徴とする空調配管施工方法。